(57)【要約】【課題】瞬低時にＰＣＳの出力電圧が短時間のうちに瞬低前の電圧に復帰する発電システムを提供する。【解決手段】発電システムは、直流発電装置の出力電圧を昇圧するための昇圧部と、昇圧部に対する昇圧制御処理制御を中止している間に所定の復帰通知を受信した場合に、昇圧制御処理を再開する昇圧制御部とを備える昇圧ユニットと、昇圧ユニットの出力が接続箱を介して入力されるＰＣＳであって、直流電圧を交流電圧に変換するための変換部と、系統電圧の所定の異常低下を検出した場合に、変換部に対する制御処理を中止し、その後、所定時間内に系統電圧の復帰を検出した場合に、復帰通知を昇圧ユニットに送信すると共に制御処理を再開する制御部とを備えるＰＣＳとを含む。【選択図】図４
2019033572.tif 000002
【特許請求の範囲】
【請求項１】
昇圧ユニットと、前記昇圧ユニットの出力が接続箱を介して入力されるパワーコンディショナとを含む発電システムにおいて、
前記昇圧ユニットは、
直流発電装置の出力電圧を昇圧するための昇圧部と、
前記直流発電装置から最大電力が取り出されるように前記昇圧部を制御する昇圧制御処理を実行可能な昇圧制御部であって、前記昇圧制御処理を中止している間に所定の復帰通知を受信した場合に、前記昇圧制御処理を再開する昇圧制御部と、
を備え、
前記パワーコンディショナは、
前記接続箱を介して入力される直流電圧を交流電圧に変換するための変換部と、
系統に供給可能な交流が前記変換部から出力されるように前記変換部を制御する制御処理を実行可能な制御部であって、系統電圧の所定の異常低下を検出した場合に、前記制御処理を中止し、その後、所定時間内に系統電圧の復帰を検出した場合に、前記復帰通知を前記昇圧ユニットに送信すると共に前記制御処理を再開する制御部と、
を備える、
ことを特徴とする発電システム。
【請求項２】
前記パワーコンディショナの前記制御部は、系統電圧の前記所定の異常低下を検出した場合に、前記制御処理を中止すると共に所定の瞬低通知を前記昇圧ユニットに送信し、
前記昇圧ユニットの昇圧制御部は、前記昇圧制御処理の実行中に前記瞬低通知を受信した場合に、前記昇圧制御処理を中止する、
ことを特徴とする請求項１に記載の発電システム。
【請求項３】
前記昇圧ユニットの前記昇圧制御部は、
前記昇圧制御処理を中止する前に、前記昇圧部の昇圧比を記憶し、
前記復帰通知を受信した場合に、前記昇圧部の昇圧比を前記昇圧制御処理の中止前に記憶した前記昇圧比に調整する昇圧比調整処理を行ってから前記昇圧制御処理を再開する、
ことを特徴とする請求項２に記載の発電システム。
【請求項４】
前記パワーコンディショナの前記制御部は、
前記制御処理として、前記接続箱に直接的又は間接的に接続されている複数の直流発電装置から最大電力が取り出される状態で前記系統に供給可能な交流が前記変換部から出力されるように前記変換部を制御する処理を行い、
前記制御処理を中止する前に、前記変換部の入力電圧を記憶し、
前記制御処理を再開する前に、前記変換部の入力電圧を前記制御処理の中止前に記憶した前記入力電圧に調整する入力電圧調整処理を行う、
ことを特徴とする請求項１から３のいずれか一項に記載の発電システム。
【請求項５】
前記パワーコンディショナの前記制御部は、前記入力電圧調整処理の完了時に、所定の調整完了通知を前記昇圧ユニットに送信し、
前記昇圧ユニットの前記昇圧制御部は、前記昇圧比調整処理の完了後、且つ、前記調整完了通知の受信後に、前記昇圧制御処理を再開する、
ことを特徴とする請求項４に記載の発電システム。
【請求項６】
直流発電装置の出力電圧を昇圧するための昇圧部と、
前記直流発電装置から最大電力が取り出されるように前記昇圧部を制御する昇圧制御処理を実行可能な昇圧制御部であって、前記昇圧制御処理を中止している間に所定の復帰通知を受信した場合に、前記昇圧制御処理を再開する昇圧制御部と、
を備えることを特徴とする昇圧ユニット。
【請求項７】
前記昇圧制御部は、
前記昇圧制御処理を中止する前に、前記昇圧部の昇圧比を記憶し、
前記復帰通知を受信した場合に、前記昇圧部の昇圧比を前記昇圧制御処理を中止する前に記憶した前記昇圧比に調整する昇圧比調整処理を行ってから前記昇圧制御処理を再開する、
ことを特徴とする請求項６に記載の昇圧ユニット。
【発明の詳細な説明】
【技術分野】
【０００１】
本発明は、発電システムと昇圧ユニットとに関する。
【背景技術】
【０００２】
複数の太陽電池（太陽電池ストリング；以下、ＰＶと表記する）の出力を接続箱で並列接続してパワーコンディショナ（以下、ＰＣＳと表記する）に供給することが行われているが、定格出力電圧が揃っていない複数のＰＶを接続箱で並列接続したのでは、各ＰＶから最大電力を取り出すことができない。そのため、複数のＰＶの定格出力電圧が揃っていない場合には、低定格出力電圧のＰＶと接続箱との間に昇圧ユニットを挿入することが行われている。
【０００３】
昇圧ユニットは、接続されているＰＶの出力電圧を、当該ＰＶから最大電力を取り出せる電圧に自動調整するＭＰＰＴ（Maximum Power Point Tracking）機能を有している（例えば、特許文献１参照）。そのため、昇圧ユニットを用いて、例えば図１に示した構成の太陽光発電システムを構築した場合には、昇圧ユニットの入力電圧（ＰＶ＃２の出力電圧）が、ＰＶ＃２から最大電力を取り出せる電圧に制御される。そして、昇圧ユニットの出力とＰＶ＃１の出力とが接続箱内で並列接続されており、ＰＶ＃１及びＰＶ＃２と昇圧ユニットと接続箱とからなる発電部の出力電圧は、ＰＣＳのＭＰＰＴ機能により最大電力が取り出せる電圧に制御される。従って、この太陽光発電システムでは、図２に模式的に示したように、昇圧ユニットにより、ＰＶ＃２の出力電圧が、昇圧比Ｖｍ１／Ｖｍ２で昇圧される。そして、その結果として、ＰＶ＃１、ＰＶ＃２の双方から最大電力を取り出せる状態が形成されることになる。なお、Ｖｍ１、Ｖｍ２とは、それぞれ、ＰＶ＃１、ＰＶ＃２の最大出力動作電圧のことである。
【先行技術文献】
【特許文献】
【０００４】
【特許文献１】特開２０１４−１０７０５号公報
【発明の概要】
【発明が解決しようとする課題】
【０００５】
上記したように、昇圧ユニットを用いれば、定格出力電圧が揃っていない複数のＰＶのそれぞれから最大電力を取り出すことが可能となる。ただし、昇圧ユニットと瞬時電圧低下（以下、瞬低とも表記する）時にゲートブロックを行うＰＣＳとが組み合わされた既存の太陽光発電システムは、瞬低後のＰＣＳの出力電力が瞬低前の出力電圧によりもかなり小さくなることがあり得るものとなっている。
【０００６】
具体的には、図１に示した構成の太陽光発電システムのＰＣＳが、瞬低時にゲートブロックを行うものである場合を考える。この場合、瞬低発生前には、昇圧ユニットによって、ＰＶ＃２の出力電圧が、ＰＶ＃１、ＰＶ＃２の双方から最大電力を取り出せる電圧に昇圧されている（図２参照）。そして、図３に模式的に示してあるように、ＰＣＳ内の制御部は、系統電圧が所定電圧まで下がったことを検出した際（図では、“瞬低発生”）に、ゲートブロックを行うが、昇圧ユニット内の制御部は、ＰＣＳが動作していない間も、ＭＰＰＴ制御を継続している。そのため、図３に模式的に示してあるように、瞬低であることが確定する前に、過電圧により昇圧ユニットが動作を停止することがあり得る。
【０００７】
そして、昇圧ユニットが動作を停止している場合には、ＰＶ＃２の出力がそのまま接続箱に供給される。従って、瞬低であることが確定する前に、過電圧により昇圧ユニットが
動作を停止すると、発電部のＰＶ特性が、図３に示したもの（ＰＶ＃１のＰＶ特性とＰＶ＃２のＰＶ特性とを加算したもの）となっている状態が形成される。そして、瞬低であることが確定すると、ＰＣＳ内の制御部がゲートブロックを解除して電力変換回路（ＤＣ／ＤＣコンバータ及びＤＣ／ＡＣインバータ）の運転を開始するが、昇圧ユニットは動作を停止したままである。そのため、図３に示してあるように、瞬低後のＰＣＳの出力電力が瞬低前の出力電力Ｐ１よりもかなり低い電力Ｐ２となってしまうことがある。
【０００８】
本発明は、かかる従来の問題点に鑑みなされたものであり、昇圧ユニットと、瞬低中に動作を停止する（ゲートブロックが行われる）タイプのパワーコンディショナとを含む、瞬低時にパワーコンディショナの入力電圧が短時間のうちに瞬低前の電圧に復帰する発電システムと、そのような発電システムを構築できる昇圧ユニットとを提供することを目的とする。
【課題を解決するための手段】
【０００９】
上記目的を達成するために、本発明の、昇圧ユニットと、前記昇圧ユニットの出力が接続箱を介して入力されるパワーコンディショナとを含む発電システムの昇圧ユニットは、直流発電装置の出力電圧を昇圧するための昇圧部と、前記直流発電装置から最大電力が取り出されるように前記昇圧部を制御する昇圧制御処理を実行可能な昇圧制御部であって、前記昇圧制御処理を中止している間に所定の復帰通知を受信した場合に、前記昇圧制御処理を再開する昇圧制御部と、を備える。そして、本発明の発電システムのパワーコンディショナは、前記接続箱を介して入力される直流電圧を交流電圧に変換するための変換部と、系統に供給可能な交流が前記変換部から出力されるように前記変換部を制御する制御処理を実行可能な制御部であって、系統電圧の所定の異常低下を検出した場合に、前記制御処理を中止し、その後、所定時間内に系統電圧の復帰を検出した場合に、前記復帰通知を前記昇圧ユニットに送信すると共に前記制御処理を再開する制御部と、を備える。
【００１０】
すなわち、本発明の発電システムのパワーコンディショナの制御部は、瞬低であることが確定した場合（系統電圧の所定の異常低下を検出してから、所定時間内に系統電圧の復帰を検出した場合）に、復帰通知を昇圧ユニットに送信する。そして、本発明の発電システムの昇圧ユニットの昇圧制御部は、昇圧制御処理を中止している間に復帰通知を受信した場合に昇圧制御処理を再開する機能を有している。従って、本発明の発電システムでは、瞬低時にパワーコンディショナの入力電圧が短時間のうちに瞬低前の電圧に復帰することになる。
【００１１】
本発明の発電システムに、『前記パワーコンディショナの前記制御部は、系統電圧の前記所定の異常低下を検出した場合に、前記制御処理を中止すると共に所定の瞬低通知を前記昇圧ユニットに送信し、前記昇圧ユニットの昇圧制御部は、前記昇圧制御処理の実行中に前記瞬低通知を受信した場合に、前記昇圧制御処理を中止する』構成を採用しておいてもよい。この構成を採用しておけば、瞬低時に、昇圧ユニットの各部に比較的に大きな電圧がかからないようにすること（過電圧により動作を停止する前に昇圧ユニットの動作を停止させること）が可能となる。
【００１２】
本発明の発電システムに、瞬低通知がパワーコンディショナの制御部から昇圧ユニットの昇圧制御部に送信される構成を採用する場合には、さらに、『前記昇圧ユニットの前記昇圧制御部が、前記昇圧制御処理を中止する前に、前記昇圧部の昇圧比を記憶し、前記復帰通知を受信した場合に、前記昇圧部の昇圧比を前記昇圧制御処理の中止前に記憶した前記昇圧比に調整する昇圧比調整処理を行ってから前記昇圧制御処理を再開する』構成を採用しておいてもよい。なお、この構成を採用しておけば、瞬低後のパワーコンディショナの入力電圧の復帰速度がより早い発電システムを得ることができる。
【００１３】
また、瞬低後のパワーコンディショナの入力電圧の復帰速度を向上させるために、本発明の発電システムのパワーコンディショナの制御部として、前記制御処理として、前記接続箱に直接的又は間接的に接続されている複数の直流発電装置から最大電力が取り出される状態で前記系統に供給可能な交流が前記変換部から出力されるように前記変換部を制御する処理を行い、前記制御処理を中止する前に、前記変換部の入力電圧を記憶し、前記制御処理を再開する前に、前記変換部の入力電圧を前記制御処理の中止前に記憶した前記入力電圧に調整する入力電圧調整処理を行うものを採用しておいてもよい。また、パワーコンディショナに、入力電圧調整処理を行う制御部を採用する場合には、瞬低後のパワーコンディショナの入力電圧の復帰速度をさらに向上させるために、『前記パワーコンディショナの前記制御部は、前記入力電圧調整処理の完了時に、所定の調整完了通知を前記昇圧ユニットに送信し、前記昇圧ユニットの前記昇圧制御部は、前記昇圧比調整処理の完了後、且つ、前記調整完了通知の受信後に、前記昇圧制御処理を再開する』構成を採用しておいてもよい。
【００１４】
また、本発明の昇圧ユニットは、直流発電装置の出力電圧を昇圧するための昇圧部と、前記直流発電装置から最大電力が取り出されるように前記昇圧部を制御する昇圧制御処理を実行可能な昇圧制御部であって、前記昇圧制御処理を中止している間に所定の復帰通知を受信した場合に、前記昇圧制御処理を再開する昇圧制御部と、を備える。従って、本発明の昇圧ユニットを用いておけば、瞬低時にパワーコンディショナの入力電圧が短時間のうちに瞬低前の電圧に復帰する発電システムを構築できる。
【００１５】
瞬低後のパワーコンディショナの入力電圧の復帰速度がより早い発電システムを構築できるようにするために、本発明の昇圧ユニットの昇圧制御部として、『前記昇圧制御処理を中止する前に、前記昇圧部の昇圧比を記憶し、前記復帰通知を受信した場合に、前記昇圧部の昇圧比を前記昇圧制御処理を中止する前に記憶した前記昇圧比に調整する昇圧比調整処理を行ってから前記昇圧制御処理を再開する』ものを採用しておいてもよい。
【発明の効果】
【００１６】
本発明によれば、昇圧ユニットの出力が接続箱を介して入力されるパワーコンディショナを含む発電システムであって、瞬低時にパワーコンディショナの入力電圧が短時間のうちに瞬低前の電圧に復帰する発電システムと、そのような発電システムを構築できる昇圧ユニットとを提供することができる。
【図面の簡単な説明】
【００１７】
【図１】図１は、昇圧ユニットが用いられた太陽光発電システムの概略構成図である。
【図２】図２は、昇圧ユニットの機能を説明するためのＰＶ特性図である。
【図３】図３は、昇圧ユニットが用いられた太陽光発電システムで生じ得る問題の説明図である。
【図４】図４は、本発明の一実施形態に係る発電システムの概略構成及び使用形態の説明図である。
【図５】図５は、本発明の一実施形態に係るパワーコンディショナの制御部の機能を説明するための状態遷移図である。
【図６】図６は、本発明の一実施形態に係る昇圧ユニットの制御部の機能を説明するための状態遷移図である。
【図７】図７は、実施形態に係る発電システムの瞬低時の動作を説明するための図である。
【発明を実施するための形態】
【００１８】
以下、本発明の実施の形態を、図面を参照して説明する。なお、以下で説明する実施形
態の構成は例示であり、本発明は実施形態の構成に限定されない。
【００１９】
図４に、本発明の一実施形態に係る発電システムの構成及び使用形態を示す。
【００２０】
図示してあるように、本実施形態に係る発電システムは、パワーコンディショナ（以下、ＰＣＳと表記する）１０と発電部２０とを備える。
【００２１】
発電部２０は、ＰＶ（太陽電池、太陽電池ストリング）＃１と、ＰＶ＃１よりも定格出力電圧が低いＰＶ＃２と、ＰＶ＃２の出力電圧を昇圧する昇圧ユニット２１と、接続箱３５とを組み合わせたユニットである。なお、発電部２０は、出力電圧の昇圧が不要なｎ（≧１）個のＰＶと、出力電圧の昇圧が必要なｍ（≧１）個のＰＶと、それらｍ個のＰＶのそれぞれについて設けられた昇圧ユニット２１と、出力電圧の昇圧が不要なｎ個のＰＶの出力とｍ個の昇圧ユニット２１の出力とを並列接続する接続箱３５とを含むものであれば、具体的な構成が図４に示したものとは異なっていてもよい。また、発電部２０は、接続箱３５内にｍ個の昇圧ユニット２１が内蔵されたものであってもよい。
【００２２】
昇圧ユニット２１は、接続されているＰＶ（図では、ＰＶ＃２）の出力電圧を昇圧するためのユニットである。昇圧ユニット２１は、ＤＣ／ＤＣコンバータ（“Ｄ／Ｄ”）２２と制御部２３とにより構成されており、昇圧ユニット２１内には、ＤＣ／ＤＣコンバータ２２の入力電圧、入力電流等を測定するための各種センサ（図示略）が設けられている。
【００２３】
ＤＣ／ＤＣコンバータ２２は、昇圧チョッパ回路等の、１つ以上の半導体スイッチのＯＮ／ＯＦＦにより入力電圧を昇圧する回路である。制御部２３は、基本的には、各種センサの出力に基づき、接続されているＰＶ（図では、ＰＶ＃２）から最大電力が取り出されるようにＤＣ／ＤＣコンバータ２２を制御するＭＰＰＴ制御処理（以下、通常昇圧制御処理とも表記する）を行うユニットである。この制御部２３は、プロセッサ（ＣＰＵ、マイクロコントローラ）、ゲートドライバ、通信線２８を介してパワーコンディショナ１０内の制御部１３との間で通信を行うための通信インターフェース回路等から構成されている。
【００２４】
ＰＣＳ１０は、発電部２０からの直流電力を交流電力に変換して系統４０に供給するための装置である。ＰＣＳ１０は、ＤＣ／ＤＣコンバータ（“Ｄ／Ｄ”）１１とＤＣ／ＡＣインバータ（“ＩＮＶ”）１２と制御部１３とにより構成されており、ＰＣＳ１０内には、各所の電圧、電流を測定するための各種センサ（図示略）が設けられている。なお、図１には、ＰＣＳ１０が系統４０のみに接続された様子を示してあるが、ＰＣＳ１０は、系統４０に電力を供給することがあるものであれば、系統４０と家庭内負荷とに接続されるものであってもよい。
【００２５】
ＤＣ／ＤＣコンバータ１１は、昇圧チョッパ回路等の、１つ以上の半導体スイッチのＯＮ／ＯＦＦにより入力電圧を昇圧する回路である。ＤＣ／ＡＣインバータ１２は、フルブリッジインバータ回路等の、複数の半導体スイッチのＯＮ／ＯＦＦにより、直流電圧を交流電圧に変換する回路である。このＤＣ／ＡＣインバータ１２は、単相交流、３相交流のいずれを出力する回路であってもよい。
【００２６】
制御部１３は、基本的には、ＰＣＳ１０内の各種センサの出力に基づき、発電部２０から最大電力が取り出されるようにＤＣ／ＤＣコンバータ１１を制御しながら、系統４０に供給可能な交流が出力されるようにＤＣ／ＡＣインバータ１２を制御する処理（以下、通常制御処理と表記する）を行うユニットである。この制御部１３は、プロセッサ（ＣＰＵ、マイクロコントローラ）、ゲートドライバ、通信線２８を介して昇圧ユニット２１内の制御部２３との間で通信を行うための通信インターフェース回路等から構成されている。
【００２７】
以下、本実施形態に係る発電システムの機能を具体的に説明する。
【００２８】
本実施形態に係る発電システムは、瞬低発生後にＰＣＳ１０の出力電圧が短時間のうちに瞬低発生前の電圧に復帰するようにするために、ＰＣＳ１０の制御部１３及び昇圧ユニット２１の制御部２３に特殊な機能を付与したシステムである。なお、瞬低（瞬時電圧低下）が発生したことが確定するのは、系統４０の電圧が、一旦、所定電圧（制御部１３がゲートブロックを行う電圧）以下となった時点から所定時間以内に正常な電圧に復帰したときである。ただし、本実施形態に係る発電システムは、上記のように、瞬低発生時における制御部１３及び制御部２３の動作に特徴があるものである。そのため、以下では、系統４０の電圧が、所定電圧以下となった後、所定時間以内に正常な電圧に復帰しなかった場合における制御部１３及び制御部２３の動作については、説明を省略する。
【００２９】
まず、ＰＣＳ１０の制御部１３の瞬低発生時の動作を説明する。
図５に、制御部１３の状態遷移図を示す。なお、この図５は、瞬低発生時における制御部１３の状態遷移のみを示したものであり、系統４０に生じた電圧低下が瞬低ではなかった場合、制御部１３は、図５に示されていない状態に遷移する。
【００３０】
図示してあるように、制御部１３は、通常制御中状態、停止中状態、及び、動作点電圧調整中状態間を遷移可能なように構成（プログラミング）されている。
【００３１】
通常制御中状態は、制御部１３が、通常制御処理を行いながら、瞬低の発生を監視している状態である。ここで、通常制御処理とは、既に説明（定義）したように、発電部２０から最大電力が取り出されるようにＤＣ／ＤＣコンバータ１１を制御しながら、系統４０に供給可能な交流が出力されるようにＤＣ／ＡＣインバータ１２を制御する処理のことである。
【００３２】
この通常制御中状態で動作している制御部１３は、図示してあるように、瞬低が発生していないこと（“瞬低未発生”）を検出する度に、所定の第１通知を昇圧ユニット２１へ送信する。そして、制御部１３は、瞬低が発生したことを検出した場合には、その時点における動作点電圧（ＤＣ／ＤＣコンバータ１１の入力電圧；以下、瞬低時電圧と表記する）を内部に記憶してから、停止中状態に移行する。
【００３３】
停止中状態は、制御部１３が通常制御処理を中止している状態であると共に、制御部１３が復電の発生（系統４０の電圧の正常な電圧への復帰）を監視している状態である。この停止中状態で動作している制御部１３は、瞬低が継続していること（“瞬低発生中”）を検出する度に、所定の第２通知を昇圧ユニット２１へ送信する。そして、制御部１３は、復電の発生を検出した場合には、所定の第３通知を昇圧ユニット２１へ送信してから、動作点電圧調整中状態に移行する。
【００３４】
動作点電圧調整中状態に移行した制御部１３は、動作点電圧調整処理と入力電圧監視処理とを開始する。ここで、動作点電圧調整処理とは、ＤＣ／ＤＣコンバータ１１の入力電圧が、瞬低時電圧（瞬低発生検出時に記憶した動作点電圧）となるようにＤＣ／ＤＣコンバータ１１を制御しながら、系統４０に供給可能な交流が出力されるようにＤＣ／ＡＣインバータ１２を制御する処理のことである。また、入力電圧監視処理とは、ＤＣ／ＤＣコンバータ１１の入力電圧が瞬低時電圧となっているか否かを周期的に検出して、ＤＣ／ＤＣコンバータ１１の入力電圧が瞬低時電圧となっていないこと（“動作点電圧調整未完”）を検出する度に上記した第３通知を昇圧ユニット２１に送信する処理のことである。
【００３５】
そして、動作点電圧調整中状態にある制御部１３は、入力電圧監視処理によりＤＣ／Ｄ
Ｃコンバータ１１の入力電圧が瞬低時電圧となったことが検出されたときに、上記した第１通知を送信することにより昇圧ユニット２１に動作点電圧調整処理の完了を通知してから、通常制御中状態に移行する。
【００３６】
次に、昇圧ユニット２１の制御部２３の瞬低発生時の動作を説明する。
図６に、制御部２３の状態遷移図を示す。この図６も、図５と同様に、瞬低発生時における制御部２３の状態遷移のみを示したものである。
【００３７】
図示してあるように、制御部２３は、通常制御中状態、停止中状態、及び、昇圧比調整中状態間を遷移可能なように、構成（プログラミング）されている。
【００３８】
通常制御中状態は、制御部２３が、制御部１３から第１通知又は第２通知が送信されてくるのを監視しながら、通常昇圧制御処理（ＭＰＰＴ制御処理）を行っている状態である。図示してあるように、この通常制御中状態で動作している制御部２３は、第１通知を受信した場合には、何も行わないが、第２通知を受信した場合には、その時点における昇圧比（以下、瞬低時昇圧比と表記する）を内部に記憶してから、停止中状態に移行する。
【００３９】
停止中状態は、制御部２３が昇圧制御処理を中止している状態であると共に、制御部２３が制御部１３からの第２通知及び第３通知の受信を監視している状態である。この停止中状態で動作している制御部２３は、第２通知を受信した場合には、何も行わないが、第３通知を受信した場合には、昇圧比調整中状態に移行する。
【００４０】
昇圧比調整中状態に移行した制御部２３は、ＤＣ／ＤＣコンバータ２２の昇圧比が、瞬低時昇圧比（第２通知受信時に記憶した昇圧比）となるようにＤＣ／ＤＣコンバータ２２を制御する昇圧比調整処理を開始する。また、制御部２３は、制御部１３から第３通知又は第１通知が受信されるのを監視する処理も開始する。そして、制御部２３は、昇圧比調整処理が完了する前に第３通知又は第１通知を受信した場合には、昇圧比調整処理を続行し、昇圧比調整処理の完了後に第１通知を受信したときに、通常制御中状態に移行する。
【００４１】
以上の説明から明らかなように、本実施形態に係る発電システムでは、瞬低が発生した場合、ＰＣＳ１０の制御部１３から昇圧ユニット２１の制御部２３に第１通知が送信される。そして、第１通知を受信した制御部２３は、昇圧制御処理を中止する。従って、図７に模式的に示したように、本実施形態に係る発電システムにおいても、瞬低中の発電部２０のＰＶ特性は、過電圧により昇圧ユニット２１の動作が停止された後のＰＶ特性（図３参照）と同様のものとなる。
【００４２】
ただし、所定時間内の系統４０の電圧復帰により瞬低であることが確定すると、ＰＣＳ１０の制御部１３は、昇圧ユニット２１（制御部２３）に第３通知を送信して、動作点電圧調整処理を開始する。また、第３通知を受信した昇圧ユニット２１内に制御部２３は、昇圧比調整処理を開始する。そして、動作点電圧調整処理は、動作点電圧を、瞬低発生前の動作点電圧に戻す処理であり、昇圧比調整処理は、昇圧比を、瞬低発生前の昇圧比に戻す処理である。さらに、各処理が開始されるのは、瞬低発生後、１秒程度の時間しか経過していないときであるため、瞬低発生前後で各ＰＶへの日照量も変化していない。従って、制御部１３による動作点電圧調整処理と制御部２３による昇圧比調整処理とが開始されると、短時間の内に、図７に示してあるように、発電部２０のＰＶ特性が、瞬低発生前のＰＶ特性（図３参照）と同様のものとなっている状態が形成される。
【００４３】
そして、発電部２０のＰＶ特性が、瞬低発生前のＰＶ特性と同様のものとなっていれば、制御部１３による通常制御処理（ＤＣ／ＤＣコンバータ１１に対するＭＰＰＴ制御処理とＤＣ／ＡＣインバータ１２に対する制御処理）、制御部２３による通常昇圧制御処理（
ＤＣ／ＤＣコンバータ２２に対するＭＰＰＴ制御処理）が開始されても、ＰＣＳ１０の出力は大きく変動することはない。
【００４４】
従って、本実施形態に係る発電システムは、瞬低後に、ＰＣＳ１０の出力電圧が短時間のうちに瞬低前の電圧に復帰するシステムであると共に、瞬低時に、ＰＣＳ１０の出力が大きく変動することもないシステムとして機能することになる。
【００４５】
《変形形態》
上記した実施形態に係る発電システムは、各種の変形を行えるものである。例えば、制御部１３、制御部２３から、第１、第２通知に関連する機能を取り除いてもよい。すなわち、制御部１３を、瞬低終了時に第３通知を昇圧ユニット２１に対して送信して通常制御処理を再開するものに変形し、制御部２３を、通常昇圧制御処理を行っていない状況（過電圧によりＭＰＰＴ制御を停止している状況等）で第３通知を受信した場合に、通常昇圧制御処理を再開するものに変形してもよい。制御部１３、制御部２３から、他の機能を取り除いてもよいし、発電システムを、具体的な構成が上記したものとは異なるシステム、例えば、ＰＶではない発電装置の出力が昇圧ユニット２１に供給されるシステムや、制御部１３から制御部２３へ各通知が無線送信されるシステム、に変形してもよい。
【符号の説明】
【００４６】
１０  パワーコンディショナ
１１、２２  ＤＣ／ＤＣコンバータ
１２  ＤＣ／ＡＣインバータ
１３、２３  制御部
２０  発電部
２１  昇圧ユニット
２８  通信線
３５  接続箱
４０  系統
【図１】
2019033572.tif 000003
【図２】
2019033572.tif 000004
【図３】
2019033572.tif 000005
【図４】
2019033572.tif 000006
【図５】
2019033572.tif 000007
【図６】
2019033572.tif 000008
【図７】
2019033572.tif 000009